(57)【要約】【課題】  廃棄物埋立て処分場の仕切り護岸を構築した後で、嵩上げする必要が生じたときに、ケーソン上にコンクリートを打設して構築する護岸本体に対して、遮水壁の上部にも嵩上げ部を施工して、信頼性を向上させた壁として構築可能とする。【解決手段】  ケーソンによる護岸本体に沿わせて構築する遮水壁１５に対しては、矢板壁２０の上部に、必要とされる高さｈの嵩上げ部として、上部コンクリート３１の壁を追加して構築する。また、この壁３１の海側の側面には、アスファルト混合物の壁３２を一体に設け、コンクリート壁の内部には管理用パイプ３７を立設して設け、各遮水部での状態を監視できるようにする。【選択図】          図４
2007144272.tif 000002
【特許請求の範囲】
【請求項１】
任意の海域に堤体を構築して区画する廃棄物処分場であって、
前記堤体を、海側に構築する護岸本体と、前記護岸本体に対して所定の間隔をおいて処分場側に配置する遮水壁と、を組み合わせて設けてなる管理型護岸において、
前記遮水壁の矢板壁の上部での漏水を防止するために、
前記矢板壁上部に設けているコンクリートの壁に沿わせて遮水層を構築して、壁と一体化させ、
前記遮水層を下部の矢板壁と一体化させることを特徴とする遮水層の追加施工法。
【請求項２】
前記矢板壁の上部のコンクリート壁に、もしくは、矢板壁とコンクリート壁との接続部での遮水性能に支障が生じたときに、
前記矢板壁を所定の高さまで露出させ、その矢板壁を露出させた部分からコンクリート壁とを覆うように遮水層を構築し、前記遮水層を遮水壁と一体化させた状態で埋め戻し、  前記遮水層を矢板壁と一体化させること、を特徴とする請求項１に記載の遮水層の追加施工法。
【請求項３】
前記矢板壁と一体化させて構築する遮水層は、アスファルト混合物の層を所定の厚さで構築するか、あるいは、遮水性を有するシートを前記コンクリート壁に沿わせて設けるものであることを特徴とする請求項２に記載の遮水層の追加施工法。
【請求項４】
任意の海域に堤体を構築して区画する廃棄物処分場であって、
前記堤体を、海側に構築する護岸本体と、前記護岸本体に対して所定の間隔をおいて処分場側に配置する遮水壁と、を組み合わせて設けてなる管理型護岸において、
前記護岸本体と遮水壁の各々、もしくは、その一方の上部を任意の高さに嵩上げすることにより、廃棄物処理場の堆積場での廃棄物の収容容積を増大させる手段とし、
前記護岸本体の嵩上げ部は、本体上にコンクリートの層を構築して設け、
前記遮水壁の嵩上げ部では、前記遮水壁の上部分を所定の高さだけ含むようにして、所定の厚さの追加コンクリート壁として構築し、
前記遮水壁および遮水壁の嵩上げ部に対しては遮水処理を施し、堆積場を周囲の部分に対して区画するよう、遮水層を構築することを特徴とする遮水層の追加施工法。
【請求項５】
前記仕切り護岸において、護岸本体のみを嵩上げして堆積場での収容能力を向上させるに際して、
前記堤体本体の嵩上げ部を追加して構築し、前記追加構築した堤体本体の嵩上げ部に対して遮水処理を行うことにより、
堆積場側で廃棄物に触れた水が外側に流出しないように、区画することを特徴とする請求項４に記載の遮水層の追加施工法。
【請求項６】
前記仕切り護岸において、護岸本体のみを嵩上げするために、ケーソンを堤体本体上に重ねて構築するか、もしくは、
堤体本体上にコンクリートの壁を追加して構築する等の、堤体本体の嵩上げ部を構築する手段を用い、
前記堤体本体の嵩上げ部を追加して構築し、前記追加して構築した堤体本体の嵩上げ部に対して遮水処理を施して、堆積場側で廃棄物に触れた水が外側に流出しないように区画することを特徴とする請求項４に記載の遮水層の追加施工法。
【請求項７】
前記追加して構築する遮水壁の嵩上げ部は、既設の遮水壁の上部を所定の高さだけ含むようにして、任意の巾と高さを有するコンクリート壁を構築し、
前記追加して構築するコンクリート壁と、既設の遮水壁の双方に対して、遮水性を持たせる処理を施した遮水層を構築することを特徴とする請求項４に記載の遮水層の追加施工法。
【請求項８】
前記追加して構築する遮水壁の嵩上げ部に、追加して施工する遮水層においては、
前記遮水層に沿わせてアスファルト混合物の層を立設して設け、前記アスファルト混合物の層と既設の遮水層との間で水が流れないように、遮水処理を行うことを特徴とする請求項６または７に記載の遮水層の追加施工法。
【請求項９】
前記遮水壁に沿わせて設ける遮水層は、上部に配置する遮水シートと、下部に構築するアスファルト混合物の層とにより、前記遮水壁と一体化した遮水層として作用させるものとして構成することを特徴とする請求項８に記載の遮水層の追加施工法。
【請求項１０】
前記遮水壁の嵩上げ部には、前記遮水壁の継手部に接続する管理用パイプを、追加して施工したコンクリート壁中に立設して設け、
前記管理用パイプには、継手部の充填材と同一の充填材を充満させて設けることを特徴とする請求項６ないし９のいずれかに記載の遮水層の追加施工法。
【請求項１１】
前記堤体の護岸本体に対して、所定の間隔を持たせて構築する矢板壁では、前記列状に立設した矢板類の間を継手部で接続し、
前記継手部の内部空間には遮水材を充填して、遮水性を維持させるとともに、
前記追加コンクリート壁内に立設させて設ける管理用パイプには、前記遮水材と同一の材料を充満させて、
前記管理用パイプに収容する遮水材のレベルを観察する手段を用いて、上部嵩上げ部内部と基部の遮水壁の状態を確認可能とすることを特徴とする請求項１０に記載の遮水層の追加施工法。
【請求項１２】
前記堤体の護岸本体は嵩上げせずに、遮水壁のみを嵩上げして構築する管理型護岸であって、
前記嵩上げした遮水壁には、堆積場と外海側を仕切る遮水層を構築し、
前記護岸本体と嵩上げした遮水壁との間で、地表面にも遮水層を設けることを特徴とする請求項８に記載の遮水層の追加施工法。
【請求項１３】
前記遮水壁を構成する矢板壁は、鋼製矢板、鋼管矢板または鋼矢板のような自立可能な矢板類を列状に立設して構築するものであり、
前記矢板間の継手部の内部空間には、流動性を有する遮水材を充填し、
前記遮水材を充満させた遮水壁の接続部と、嵩上げした追加コンクリート壁の中に設けた管理用パイプとを連通させて、前記管理用パイプを用いて、遮水材の状態を観測可能とすることを特徴とする請求項１２に記載の遮水層の追加施工法。
【請求項１４】
前記遮水壁が自立不能なものである場合に、遮水処理を行って矢板を列状に立設した遮水壁を、護岸本体に対して支持・接続手段を用いて立設し、前記護岸本体と遮水壁との間には裏込層を設け、
前記遮水壁と護岸本体の各々の上部に所定の高さで嵩上げ部を構築し、前記裏込層の表面を遮水層で覆うことを特徴とする請求項４に記載の遮水層の追加施工法。
【発明の詳細な説明】
【技術分野】
【０００１】
本発明は、産業廃棄物や一般廃棄物を海面埋め立て処分するための、廃棄物海面処分場を、ケーソン等を立設する護岸本体と、内側に所定の間隔を介して設ける遮水壁とを組み合わせて構築して、外海と区画した管理型護岸を構築する。本発明においては、前記堤体の遮水性に欠陥が発生した時に、遮水壁としての機能を容易に回復可能とする手段を提供することを目的としている。また、前記堤体を嵩上げする必要が発生した場合等に、堤体の上部に構築する嵩上げ部を、容易に構築することができ、信頼性の高い仕切り護岸の遮水壁嵩上げ工法を提供することができる。
【背景技術】
【０００２】
産業廃棄物や一般廃棄物を、海面を区画して構築する処分場に投棄するために、海面処分場を構築するに際しては、予定された埋立地を区画する仕切り護岸を構築して、外海と遮断した埋め立て処分場として構築している。前記仕切り護岸としては、鋼（管）矢板式護岸、ケーソン式護岸、捨石式護岸等により構成することが知られているが、前記廃棄物の埋め立て処分場を区画する仕切り護岸には、処分場内の保有水が外海に浸出しないように、水密な仕切りを設けて区画する必要がある。そこで、前記護岸の本体または別に立設した遮水壁に対して、遮水性を持たせる処理を施すとともに、処分場を構築する区域の海底地盤に対しても、必要に応じて遮水処理を行うことが求められている。
【０００３】
前記遮水処理を施した護岸を構築するために、従来より、遮水シートを護岸の埋立地側に配置する工法の他に、主に鋼管矢板や他の任意の断面形状の鋼製矢板等を用い、前記鋼製矢板を列状に打設もしくは埋設することにより、遮水壁を構築している。前記鋼管矢板等を立設して遮水壁を構築するに際しては、その矢板の側部に設けている継手部材を組み合わせて接続し、前記継手部材を組み合わせた部分の内部空間に、遮水材を充満させることにより、遮水性を良好に維持できるように構築している。
【０００４】
前記遮水壁を鋼製矢板等を立設して構築するに際しては、アースオーガー等の掘削機により掘削した孔に鋼製矢板を立設すること、または鋼製矢板を振動や衝撃により打ち込む方式等の、従来より鋼製矢板を打設する工法を用いることができる。そして、隣接させて鋼製矢板を立設する矢板の間で、その継手部材を組み合わせて、一連の隙間のない遮水壁として構築し、前記継手部材を組み合わせた部分では、その空間部にアスファルト混合物やモルタル、その他の遮水性能を発揮可能な充填材を充填して、遮水壁を構成する鋼管矢板の間での遮水性を発揮させるようにしている（例えば、特許文献１を参照）。
【特許文献１】特開２００４−２０４５８１
【発明の開示】
【発明が解決しようとする課題】
【０００５】
前記従来例の管理型護岸においては、ケーソンを列設した護岸本体と、その廃棄物を堆積させる側（内側）には、所定の間隔を介して矢板類を立設して構築する遮水壁と、を組み合わせて、処分場を区画することが行われている。また、前記２段に仕切る状態で、遮水壁を構築する管理型護岸においては、２段の遮水壁の間には砂等を充満させておき、その砂の層に対して管理用の井戸を所定の間隔で配置している。そして、内外両側の遮水壁での遮水性に欠陥が生じたときに、容易にそれを知ることができるようにする手段を設けている。したがって、前記遮水壁での遮水性に問題が生じたときに、その障害の発生位置を容易に確認できて、補修を容易におない得るような手段の開発が求められている。
【０００６】
前記遮水壁の欠陥を検知する手段を設ける他に、前記管理型護岸により区画した処分場を使用している途中で、廃棄物の収容量を多くするようなことが企画されることがある。例えば、廃棄物をより高く積み重ねることを可能にすることで、収容可能な廃棄物の量を飛躍的に増大させるように設計変更がなされ、その目的を達成可能にするように、護岸を高く嵩上げすることがある。そのような設計の変更に対しては、コンクリートケーソンでは、既に構築したケーソンの上に、所定の高さの型枠を構築して、コンクリートを打設して、既設のコンクリート壁と一体化して嵩上げすることで、容易に対応が可能であると考えられている。
【０００７】
これに対して、矢板を列設して構築する遮水壁に対しては、遮水性を維持させたままの状態で、その上部に追加の遮水壁を構築しようとしても、その継ぎ足した２種類の遮水壁の接続部での水密性に関して、信頼性に疑問が持たれることが多くある。つまり、既設の鋼製矢板の上に別の鋼製矢板を継ぎ足して、一体化させた矢板壁を構築しようとしても、その接続部で隙間が全く生じないように、新旧の遮水壁の接続部を構築することは至難の技である。さらに、上下の鋼製矢板を良好に接続して、遮水壁として使用しているものであっても、何等かの衝撃等が壁本体または近傍の埋め立て土に加えられると、既設の壁との接続部から漏水するという現象が発生しやすく、遮水壁の信頼性に疑問が持たれるような、重大な欠陥となることは避けられない。また、前記遮水壁の上部にコンクリートの壁を構築して、嵩上げした遮水壁を構築する場合でも、コンクリートの壁は亀裂が生じやすいという性質があり、区画の内外間での遮水性を良好に維持し難いという問題がある。
【０００８】
本発明は、廃棄物埋立て処分場を区画する堤体に欠陥が発生したときに、容易に回復処理が行い得るとともに、仕切護岸を嵩上げする必要が生じた時に、遮水壁を容易に嵩上げすることができて、遮水性に信頼性を向上させ得るとともに、矢板類の接続部でのシールの状態を常時観測できるような嵩上げ部を、容易に構築可能な工法を提供することを目的としている。
【課題を解決するための手段】
【０００９】
本発明は、任意の海域に堤体を構築して、廃棄物処分場を区画し、前記堤体を、海側に構築する護岸本体と、前記護岸本体に対して所定の間隔をおいて処分場側に配置する遮水壁と、を組み合わせて設けてなる管理型護岸に関する。
請求項１の発明は、前記遮水壁の矢板壁の上部での漏水を防止するために、
前記矢板壁上部に設けているコンクリートの壁に沿わせて遮水層を構築して、壁と一体化させ、前記遮水層を下部の矢板壁と一体化させることを特徴とする。
【００１０】
請求項２の発明は、前記矢板壁の上部のコンクリート壁に、もしくは、矢板壁とコンクリート壁との接続部での遮水性能に支障が生じたときに、
前記矢板壁を所定の高さまで露出させ、その矢板壁を露出させた部分からコンクリート壁とを覆うように遮水層を構築し、前記遮水層を遮水壁と一体化させた状態で埋め戻し、  前記遮水層を矢板壁と一体化させること、を特徴とする。
【００１１】
請求項３の発明は、前記矢板壁と一体化させて構築する遮水層は、アスファルト混合物の層を所定の厚さで構築するか、あるいは、遮水性有するシートを前記壁に貼り付けて設けるものであることを特徴とする。
【００１２】
請求項４の発明は、任意の海域に堤体を構築して区画する廃棄物処分場であって、
前記護岸本体と遮水壁の各々、もしくは、その一方の上部を任意の高さに嵩上げすることにより、廃棄物処理場の堆積場での廃棄物の収容容積を増大させる手段とし、
前記護岸本体の嵩上げ部は、本体上にコンクリートの層を構築して設け、
前記遮水壁の嵩上げ部では、前記遮水壁の上部分を所定の高さだけ含むようにして、所定の厚さの追加コンクリート壁として構築し、
前記遮水壁および遮水壁の嵩上げ部に対しては遮水処理を施し、堆積場を周囲の部分に対して区画するよう、遮水層を構築することを特徴とする。
【００１３】
請求項５の発明は、前記仕切り護岸において、護岸本体のみを嵩上げして堆積場での収容能力を向上させるに際して、前記堤体本体の嵩上げ部を追加して構築し、前記追加構築した堤体本体の嵩上げ部に対して遮水処理を行うことにより、堆積場側で廃棄物に触れた水が外側に流出しないように、区画することを特徴とする。
【００１４】
請求項６の発明は、前記仕切り護岸において、護岸本体のみを嵩上げするために、ケーソンを堤体本体上に重ねて構築するか、もしくは、堤体本体上にコンクリートの壁を追加して構築する等の、堤体本体の嵩上げ部を構築する手段を用い、
前記堤体本体の嵩上げ部を追加して構築し、前記追加して構築した堤体本体の嵩上げ部に対して遮水処理を施して、堆積場側で廃棄物に触れた水が外側に流出しないように区画することを特徴とする。
【００１５】
請求項７の発明は、前記追加して構築する遮水壁の嵩上げ部は、既設の遮水壁の上部を所定の高さだけ含むようにして、任意の巾と高さを有するコンクリート壁を構築し、
前記追加して構築するコンクリート壁と、既設の遮水壁の双方に対して、遮水性を持たせる処理を施した遮水層を構築することを特徴とする。
【００１６】
請求項８の発明は、前記追加して構築する遮水壁の嵩上げ部に、追加して施工する遮水層においては、前記遮水層に沿わせてアスファルト混合物の層を立設して設け、前記アスファルト混合物の層と既設の遮水層との間で水が流れないように遮水処理を行うことを特徴とする。
請求項９の発明は、前記遮水壁に沿わせて設ける遮水層は、上部に配置する遮水シートと、下部に構築するアスファルト混合物の層とにより、前記遮水壁と一体化した遮水層として作用させるものとして構成することを特徴とする。
【００１７】
請求項１０の発明は、前記遮水壁の嵩上げ部には、前記遮水壁の継手部に接続する管理用パイプを、追加して施工したコンクリート壁中に立設して設け、前記管理用パイプには、継手部の充填材と同一の充填材を充満させて設けることを特徴とする。
請求項１１の発明は、前記堤体の護岸本体に対して、所定の間隔を持たせて構築する矢板壁では、前記列状に立設した矢板類の間を継手部で接続し、
前記継手部の内部空間には遮水材を充填して、遮水性を維持させるとともに、
前記追加コンクリート壁内に立設させて設ける管理用パイプには、前記遮水材と同一の材料を充満させて、
前記管理用パイプに収容する遮水材のレベルを観察する手段を用いて、上部嵩上げ部内部と基部の遮水壁の状態を確認可能とすることを特徴とする。
【００１８】
請求項１２の発明は、前記堤体の護岸本体は嵩上げせずに、遮水壁のみを嵩上げして構築する管理型護岸であって、
前記嵩上げした遮水壁には、堆積場と外海側を仕切る遮水層を構築し、前記護岸本体と嵩上げした遮水壁との間で、地表面にも遮水層を設けることを特徴とする。
【００１９】
請求項１３の発明は、前記遮水壁を構成する矢板壁は、鋼製矢板、鋼管矢板または鋼矢板のような自立可能な矢板類を列状に立設して構築するものであり、
前記矢板間の継手部の内部空間には、流動性を有する遮水材を充填し、
前記遮水材を充満させた遮水壁の接続部と、嵩上げした追加コンクリート壁の中に設けた管理用パイプとを連通させて、前記管理用パイプを用いて、遮水材の状態を観測可能とすることを特徴とする。
【００２０】
請求項１４の発明は、前記遮水壁が自立不能なものである場合に、遮水処理を行って矢板を列状に立設した遮水壁を、護岸本体に対して支持・接続手段を用いて立設し、前記護岸本体と遮水壁との間には裏込層を設け、
前記遮水壁と護岸本体の各々の上部に所定の高さで嵩上げ部を構築し、前記裏込層の表面を遮水層で覆うことを特徴とする。
【発明の効果】
【００２１】
前述したように、海面を区画するように管理型護岸を構築して、廃棄物の処分場として使用している時に、特に、矢板壁としての遮水壁から漏水等の欠陥が発生した時に、その遮水壁における遮水性を、容易に回復する処理を容易に行うことができる。そして、その遮水壁に対する遮水性能の回復の処理に際して、アスファルト混合物の層を既設の壁に沿わせて構築することで、廃棄物に触れて汚染された水が、護岸の外側に漏れ出すことを防止できる。また、その遮水性を回復させる工事においては、シート状の遮水部材を、壁に沿わせて敷き詰めて、既設の壁の表面を一体に覆うように設けること等の工法を用いて、工事を容易に行うことができる。
【００２２】
また、管理型護岸を構築して海面を区画し、廃棄物の処分場として使用しているところで、廃棄物の収容容量を増大させたりする必要が生じた場合等に、その護岸を嵩上げする工事を、容易に施工することができる。そして、主護岸としての護岸本体のケーソンに対しては、コンクリートを任意の高さまで施工することが可能であり、その主護岸と平行に構築する遮水壁では、その基部の鋼管矢板等の遮水壁の上部に、上部嵩上げ部を容易に施工できる。さらに、前記嵩上げする主護岸に対しても遮水処理することで、管理型護岸の機能を有効に発揮させることができる。
【００２３】
前記嵩上げ工を施工することにより、遮水壁に追加する上部工事を容易に施工できて、遮水層としての機能を維持させることができる。そして、遮水壁の嵩上げ部に沿わせて遮水層を構築したことで、既設の矢板等による遮水壁に連なる遮水層を設けることができ、嵩上げ部のコンクリートに亀裂等が発生した場合でも、コンクリート壁に沿わせて配置する遮水材の層、またはシートにより遮水性を良好に維持できて、管理型護岸の信頼性が損なわれることはない。
【００２４】
また、前記矢板類を立設して構築する遮水壁の嵩上げ部に対しては、その基部の矢板類の接続部に接続する管理用のパイプを設けて、共通する遮水材を継手部の空間部に収容しておき、パイプ内の遮水材の状態を観測することで、遮水壁の状態を常時観測することができる。また、前記既設の仕切り護岸を嵩上げするに際して、任意の高さに追加した護岸を構築することができ、コンクリート壁とアスファルトの壁とを一体に設けることで、嵩上げした追加の壁の信頼性を向上させることができる。
【発明を実施するための最良の形態】
【００２５】
図示する例にしたがって、本発明の工法を説明する。図１に示す例は、一般的に用いられている管理型護岸１の構造を説明するもので、前記管理型護岸１は、廃棄物埋め立て地を、外海と区画する堤体として構築される。前記管理型護岸１を構築する海底地盤は、例えば、上部に透水性地層２が所定の厚さで堆積しており、その下部の地盤は不透水性地層３であると仮定して説明している。図示する例において、前記護岸１の海側と処分場側とを区画するために、海側の護岸本体１０として、ケーソン１１を列状に設置し、その処分場側に所定の間隔をおいて、矢板等を立設した垂直な遮水壁１５を構築して、遮水壁部として構成している。
【００２６】
前記管理型護岸１を構築するに際しては、一般的なケーソンを用いた護岸を構築する場合と同様にして、海底地盤の上に基礎マウンド４を所定の幅と高さに構築し、その上部にケーソン１１を１列に並べて護岸本体１０を構築する。もちろん、前記ケーソン１１を設置して構築する護岸本体１０においては、基礎マウンド４の下部の地盤に対しては、上部に構築する構造物の重さに耐え得るように、地盤を強化する処理を施す等の改良工事を施工してから、ケーソン１１のような重量物を、列状に立設するように施工する。そして、前述したようにして構築した護岸で、その構成部材を安定して支持可能にすることは、従来例の護岸の構築工法と同様にして実施される。
【００２７】
前記管理型護岸１では、前述したような工法に従い、ケーソン１１を並べて護岸本体１０を構築してから、その処分場側（廃棄物埋立地側……囲いの内側をいう）に、裏込層１３を砂等の良質な材料を積み重ねて形成する。また、前記裏込層１３を区画するように、透水性地層２を貫通させて、不透水性地層３に所定の深さまで貫入させるように、垂直な遮水壁１５を構築し、処分場側を外海側に対して遮断する処理を施すことも、従来公知の工法と同様に行う。前記遮水壁１５を構築するに際して用いる工法は、後述するように、鋼製矢板を立設して矢板壁として構築することと、前記鋼製矢板の継ぎ目の部分に対しても、遮水性質を持たせるような遮水処理を行う。
【００２８】
前記矢板壁では、立設する矢板の継手の部分に、アスファルト混合物のような、遮水性を発揮可能で流動性を有する材料を充填して、前記遮水壁を構築すると良い。前記基礎マウンドとその下部に位置する地層２の部分に対しては、遮水性を持たせるような処理を施して、水が流通しないようにする。なお、図１に示す管理型護岸１の例において、護岸本体１０と遮水壁の間には、裏込層１３としての砂を充填しているが。この裏込層１３に対して、所定の深さまでモニタリング用のパイプ１４を埋設して設けている。
【００２９】
そして、裏込層１３の中での水位と水質を常時監視できるようにして、管理型護岸１の内外の遮水壁１０、１５のいずれかで、遮水性に欠陥が生じたときに、そのことを容易に知ることができるようにしている。つまり、護岸本体１０で漏水が発生したときには、前記管理用パイプ１４から採取される水は、外海の海水が大量に混じっているので、そのことは容易に判断できることになる。また、内側の遮水壁に欠陥が発生した時には、廃棄物から滲み出て来る汚水が大量に含まれるものであるから、その漏水に対する対策を早急に講じる必要がある、という情報が判明する。
【００３０】
前記モニタリング用のパイプから採取される水に、汚染物質が含まれていると判断される場合は、矢板の遮水壁１５での遮水性に欠陥が発生しているものであるが、一般的に見て、矢板の壁本体の接続部では、漏水が発生することは非常に少ないと考えられる。つまり、矢板の遮水壁に漏水が発生することは、矢板壁の上部に構築している上部コンクリート１６で、クラックが発生したり、矢板の本体とコンクリートの接続部で、隙間が生じたりすることによるものと考えても良い。そこで、前記矢板壁１５の上部のコンクリート壁に、漏水するような欠陥が発生した場合には、図２に示すようにして、その遮水性を向上させる追加の処理を行うことで対処することが可能である。
【００３１】
図２に示す例は、前記遮水壁の上部部材１６に対して、補修工事を行う場合を説明しているもので、最初に、遮水壁１５の矢板壁の上部を露出させるよう、裏込層１３と埋立地側７を掘削する。そして、露出された矢板壁の上部部材１６の状態を、目視により確認するが、前記上部部材での漏水が発生する原因として考えられることは、
＊上部部材を構築した時の、コンクリートのブロックの接続部で隙間が生じる。
＊コンクリート中にクラックが生じて、コンクリート層の中を水が流通する。
＊矢板壁とコンクリートの接続部に隙間が生じて、水が隙間から滲み出る。
以上の各原因が想定される。
そのような欠陥が上部部材に発生することは、物理的な外力が上部部材に対して、局部的に加えられた場合の他は、廃棄物処分場として使用している期間が長期に亘ることで、経時変化または自然劣化が、原因となっていることも考えられる。
【００３２】
前記図２に説明する補修方法の説明図では、遮水壁の上部を露出させてから、上部部材１６にクラックが見られた時には、そのクラックに接着剤やアスファルト等の、流動性の大きいものを圧入して、隙間から漏水しないように塞ぐ処理を行う。その後に上部部材１６の周囲全体と、その下部の矢板壁の表面とを遮水材で覆って、被覆層１７を形成することで、遮水処理を追加して行うようにする。前記被覆層をアスファルトを用いて構築する場合には、任意の板またはブロック状の支持部材１９、１９ａを支持枠として設け、その区画された部分に、アスファルト混合物を、所定の厚さで充填することで、遮水性の層１８を構成することができる。また、既成のアスファルトマットを上部部材１６に巻き付けてから、その下端部を矢板壁の上部に接着剤を用いて接着することにより、アスファルト混合物による遮水層１８を施工することも可能である。
【００３３】
前記アスファルトマットによる被覆層１７を施工する手段の他に、任意の遮水シートを用いて、上部部材に対する遮水処理を追加して行うこともできる。例えば、遮水シートとして、従来より一般に使用されている遮水シートのような、ポリエチレンや塩化ビニールのような樹脂シートを用いる場合には、コンクリートの継ぎ目の部分や、コンクリート中に生じたクラックを塞いでから、前記図２の被覆層１７として、シートを巻き付けた遮水層を形成し、そのシートをコンクリートおよび矢板の表面に、接着剤を用いて接着して、一体化させるようにする。なお、前記矢板壁の上部を覆う範囲は、任意に設定することが可能であり、そのような追加の遮水処理を行った後で、遮水壁の内外の充填層としての裏込層１３等は、元の状態に戻して、廃棄物処分場の使用を継続させる。
【００３４】
なお、前記図１および、後で説明する管理型護岸の例においては、海の潮汐の高低潮位（Ｈ．Ｗ．Ｌ）または（Ｌ．Ｗ．Ｌ）は、現場で測定される潮位を説明しているものであり、埋立地（処分場）側での管理水位（Ｃ．Ｗ．Ｌ）および、二重の遮水壁の間での、裏込層１３としての中詰め砂の中での残留水位（Ｒ．Ｗ．Ｌ）は、図示されるように設定される。そして、可能であれば、（Ｃ．Ｗ．Ｌ）＜（Ｒ．Ｗ．Ｌ）の関係となるように、前記水位の関係が設定されるもので、（Ｈ．Ｗ．Ｌ）または（Ｌ．Ｗ．Ｌ）よりも低く設定できれば、埋立地内部の汚染された水が海に流れ出すことを阻止できるが、その他に、従来の例と同様に、前記各水位を管理することができる。
【００３５】
前記管理型護岸１は、それを計画したときに予定された処分量に応じて、護岸本体１０と遮水壁の高さがそれぞれ設定されるが、その処分場を使用している途中で、そこに堆積させる量（収容量）を増加させることが必要とされることがある。そのような要求に対する最適な対応策としては、護岸を高くして廃棄物の積み上げ量を増大させることであり、護岸の構成部材を現状より高く嵩上げして構築することにより、処分場での廃棄物収容能力を大きくする等の追加処理を行って、新たに発生した需要に対応させることも考えられる。
【００３６】
そのような課題が提起されたときには、前記護岸本体１０では、図３に仮想線で示すように、既設のケーソン１１の上にコンクリートを積み上げるように打設して、任意の高さまで、護岸を嵩上げした構造物１０ａとすることは可能である。これに対して、鋼製矢板を列設した遮水壁１５では、単純に仮想線で示す追加の壁１５ａのようにように、所定の高さに矢板の上部を嵩上げして、遮水壁を任意の高さに構築することも考えられる。しかしながら、実際には、既設の矢板の上部に、新たに矢板を継ぎ足して高い遮水壁を構築しても、その高く形成した遮水壁に対して、信頼性を向上させることは困難であり、より信頼性を高め得る工法の開発が、希求されているのが現状である。
【００３７】
前述したような課題を解決するためには、前記遮水壁で囲まれた堆積場に積み重ねる廃棄物の高さを、より高くし得るように、前記区画を嵩上げすることが必要となる。また、それと同時に、堆積させた廃棄物を周囲の環境と区画することで、堆積場で廃棄物に接触して有害物を含んだ水が、周囲に漏れ出さないように、保持させる手段を設けることが必要とされる。
前記堆積場を区画するためには、前記護岸本体と遮水壁を嵩上げすることを含めて、次のような手段が考えられる。
ａ：護岸本体を嵩上げして、嵩上げした護岸本体に対する遮水処理を追加施工する。
ｂ：遮水壁のみを嵩上げし、嵩上げした遮水壁に対する遮水処理を追加施工する。
ｃ：護岸本体と遮水壁の双方を嵩上げし、それそれの必要な部分に対して遮水処理を追加施工する。
【００３８】
以上の各手段のうち、廃棄物処理場の環境または、要求されている条件に応じて、１つの手段を選択して施工することで、堆積場の収容能力を向上させることが可能となる。なお、以下に説明する工法は、前記図１、２に説明した遮水工にも適用が可能なもので、例えば、矢板壁の上部に設けているコンクリート壁に対して、低く追加コンクリート層の工事を施工して、その表面に遮水層を追加することで対応が可能である。また、既設の上部コンクリート層に対して、クラックを塞ぐ等の漏水を防ぐ対策のみを追加施工して、その上部部材の周囲と、矢板との接続部に対して新たに遮水層を構築する等の、補修工事を後述するような手段を用いて施工することで、容易に対処が可能とされるものでもある。
【００３９】
まず、本発明の実施例の具体的な説明の最初に、前記鋼管矢板を用いて遮水壁を構成している場合を例にして、管理型護岸の嵩上げ工法を説明する。従来の管理型護岸で堤体本体の内面側に構築する遮水壁において、前記鋼製矢板を列設させて構築する遮水壁１５では、任意の断面構成を有する矢板類を打設し、それぞれの矢板間に設けた接続手段を組み合わせることによって、遮水性を有する強固な壁を構築している。そして、前記矢板壁では、各々の矢板間で遮水性を発揮させる処理を施している。前記図３に説明した遮水壁の１つの構成例に対して、鋼管矢板の上部に継ぎ足すようにして、高い遮水壁を構築すること、および、嵩上げした遮水壁でも遮水性を良好に発揮させ得るようにするもので。その例を図４、５を用いて以下に説明する。
【００４０】
前記鋼管矢板を用いて構築する遮水壁１５は、大口径の鋼管２０、２０ａ……を列状に立設して、前記大口径の鋼管の間に設ける接続部では、主接続部２１と、後述するような副接続部とを組み合わせて構成している。前記主接続部２１では、各鋼管の両側面に設けている接続パイプ２２と、Ｔ字状の挿入部材２３とを組み合わせているもので、前記接続パイプ２２は外側に縦のスリットを設けておき、隣接する鋼管矢板の挿入部材２３を、前記スリットを介して挿入するような組み合わせ方式を用いて、接続部を容易に形成できるようにする。
【００４１】
また、前記パイプ２２の内部の空間には、任意の遮水材を充填して、接続部での遮水性を良好に維持できるものとしているが、１か所の接続部での遮水処理のみでは、十分な遮水性を得られないことが多い。そこで、この実施例においては、各鋼管２０、２０ａ……の接続部を含むように設けた部分の側部に対して、副接続部２５を各々構築して、遮水性をより向上させることが行われている。すなわち、前記副接続部２５においては、各鋼管２０、２０ａ……の側部の所定の位置に、スリットを設けた接続パイプ２６、２６ａをそれぞれ設けておき、前記隣接する鋼管の接続パイプ２６、２６ａに対して、１枚の接続板２７を取り付けて、接続パイプ２２と対抗させた閉止部を構成する。また、前記接続板２７の両端部での、接続パイプ２６と組み合わせる部分は、任意の手段を設けることが可能であるが、例えば、図示するように、端部を折り曲げた状態に加工し、その折り曲げ部分を接続パイプのスリットに挿入して保持させるようにすることも、１つの方法として用い得る手段である。
【００４２】
前記接続板２７を取り付けるに際して、板部材の両端部に設けた折り曲げ部の部分を、接続パイプのスリットに挿入することで、主接続部２１と副接続部２５との間に、遮水材を充填可能な大きな空間部を設けることができる。前記主接続部２１のパイプ２２と、副接続部２５のパイプ２６、２６ａのそれぞれの内部空間には、各々にモルタルを注入したモルタル充填層２８として、各々を遮水手段を設けたものとする。また、前記主・副接続部に囲まれた大きな空間部には、流動性を向上させたアスファルト混合物のような遮水材を注入して、アスファルトの充填部２９とすることで、遮水性をより向上させた接続部として構成する。
【００４３】
前述したように構成された既設の遮水壁１５に対して、本願の実施例で、前記図３に示した例では嵩上げ部１５ａとして説明しているように、上部嵩上げ部３０を施工しているのである。この上部嵩上げ部３０においては、遮水壁１５の鋼管の上部に、先に構築した上部部材１６を含むようにして、コンクリートの層を構築して、嵩上げした遮水壁としての機能を発揮可能としている。前記上部嵩上げ部３１のコンクリートを打設するに際しては、あらかじめ型枠３５を遮水壁の上部で、遮水層の形状に合わせて構築し、先に構築した裏込石の層１３の上部で、略Ｌ字状の断面となるように、アスファルト混合物の層をコンクリート壁３１に沿わせて構築する。
【００４４】
そして、前記遮水用のアスファルト混合物の層としては、裏埋立て土の層１３の上面を覆うように構築する遮水層３３と、型枠３５に沿わせて垂直に設けるアスファルト混合物の層３２とからなる。前記遮水層３３は、図５にも示しているように、遮水壁１５の本体側の面と、アスファルト混合物の層３２の間を埋めるように構築して、その遮水層の上下面の間で水が流通しないように、遮断するようにする。前記遮水層を構築することは、例えば、遮水壁１５の上部に構築するコンクリートの壁にクラックが生じて、堆積場側から汚水が外に滲み出すことや、裏込層１３側から堆積場側に水が侵入するような、漏水箇所は特定できないが、起こり得る不都合な事態に対処するためのものである。
【００４５】
前記アスファルト混合物の層を所定の厚さで構築する遮水層３３においては、遮水壁の副接続部２５との間では、立設するアスファルト混合物の壁３２と、壁本体の杭部材との間での間隔を保持させるために、アスファルト混合物の層に加えて、コンクリートブロック等の硬いものを組み合わせることで、両者の間隔を保持させ得るようにすれば良い。その他に、前記遮水層３３に対して押圧力が作用せずに、単純に遮水性を期待するのみの部分では、アスファルト混合物の層を構築することに代えて、任意の遮水シートを敷き込んで、遮水層としての作用を発揮させても良い。
【００４６】
前記型枠３５の下部を安定させておくためには、コンクリートブロック等を押さえブロック３６として用い、前記遮水層３３に組み合わせて配置するブロックを先に打設して、型枠の下部を安定させて支持すると良い。また、前記下部に設けるブロックが、既設の遮水壁の鉄部材の表面に接する位置では、前記鉄部材の表面に、アスファルトプライマーを塗布した処理層３４を設け、既設の鋼製の遮水壁に対して、上部嵩上げ部３０の基部を水密に接続させるようにすると、遮水効果をより良く発揮するものとなる。前記アスファルト混合物による縦の壁３２の高さは、新たに設計された廃棄物の積み上げ高さＨ２に対応させて設定されるもので、先の廃棄物の積み上げ高さＨ１に対して、任意の高さに変更されることに対処可能にする。
【００４７】
前記既設の遮水壁１５の上部に構築する上部嵩上げ部３０は、設計された壁の厚さに対応させて、所定の厚さの壁を構築するように型枠を組んで、コンクリートを打設して遮水壁を高さｈだけ嵩上げするもので、上部コンクリート層３１として構築する。前記コンクリート壁３１を構築するに際しては、既設の遮水壁の主・副ジョイント部で、アスファルト混合物を充填した充填層２９に対応させて、管理用パイプ３７を立設して設けて前記充填層と連通させ、前記充填層２９と同様なアスファルト混合物を、そのパイプ３７の内部に充填する。前記観測手段を設けることにより、前記管理用パイプ３７のアスファルト混合物のレベルが変化する等の、正常ではない不測の事態が発生したことを知ることができる。つまり、前記アスファルト混合物のレベルが変化することは、前記遮水処理層が良好な状態に維持されていないことを示すものであるとして、異常事態の発生を観測できるようにしているものである。
【００４８】
前記護岸本体１０とともに配置している遮水壁では、鋼管を立設した既設の遮水壁１５に対して、コンクリート製の上部嵩上げ部１５ａを任意の高さに構築して、区画内での廃棄物の積み上げ高さの変更に対処できるようにする。また、前記上部嵩上げ部３０に対応させて、処分場の内部での廃棄物積み上げ高さをカバーするように、アスファルト混合物による縦の壁を構築して、処分場の内外に水が流通しないように区画することができる。さらに、前記コンクリート壁３１の海側で、アスファルト混合物の壁３２、３３を構築するためには、コンクリート壁３１を構築した後で、アスファルト混合物の層を構築する手段を講じて、遮水層を後で追加施工するような手段を用いても良い。
【００４９】
なお、前記図４に示す例に示しているタイロッド３８は、一方の基部をケーソンによる護岸本体１０と、上部コンクリート３１とに対して、それぞれの端部を埋め込んで取り付けたアンカーに取り付けている。前記タイロッド３８は、必要に応じて任意の間隔で配置することが可能であって、特に、遮水壁を自立させることができないような硬い岩盤の海底、または、遮水壁に補助的な支持手段を追加して設けることで、より信頼性を向上させ得ると考えられる場合に、前記タイロッドを用いた支持方法が適用されるものであって、海底地盤が比較的軟弱な地層の場合にも、有効な手段となる。なお、前記自立できない構造の遮水壁に対して、倒れないように支える補助手段は、護岸本体と接続して支えさせる他に、任意の補助手段を用いることが可能であり、その支持機構に関しては、特に限定するものではない。
【００５０】
前記遮水壁を自立型のものとして構築することが、その遮水壁の信頼性を維持するためには望ましいものではあるが、地盤を構成している海底の地質や地層の関係で、自立型のものとして構築することが困難な場合がある。また、遮水壁に使用する材料によっては、地盤中に深く打ち込むとができない場合等もある。しかしながら、前記管理型護岸においては、護岸本体はケーソン等を立設して、巾の広い安定した自立型のものとして構築されるものであるから、前記護岸本体に沿わせて配置する遮水壁においては、前記タイロッド３８を用いて接続する等の補助的な手段を設けることで、垂直な遮水壁としての性質を維持できるように構成される。
【００５１】
なお、前記図１に示されたように、護岸本体と遮水壁の間には裏込め層１３を設け、タイロッド３８による接続手段とを組み合わせて、前記遮水壁１５の本体と嵩上げした部分との双方を、護岸本体の自立性に依存させて、立設させる状態に保持しているのである。したがって、前述したようにして、自立できない場所に構築した遮水壁においても、それを自立させたような状態で保持する補助手段を用いることで、前記自立型の遮水壁と同様に作用させることができる。そして、前記遮水壁での遮水材の状態を観測するために、管理用のパイプ等を組み合わせて配置し、遮水壁の信頼性を向上させ壁として構築することができる。また、前記管理用パイプ内は、空洞として水等が自由に入り得るように設けることも可能であり、遮水材を充填してそのレベルを観測する場合には、任意の材料を使用できるが、好ましくは、流動性を向上させたアスファルト混合物を用いると、観測の信頼性をより向上させることができる。
【００５２】
前記図４に示す例において、遮水壁の上部に構築する上部コンクリート３１は、コーピングコンクリート、と呼ばれているものであるが、本発明の実施例では、単純に上部コンクリート、もしくは、上部部材と呼んで説明している。ところで、前記図２に示した例においては、上部コンクリート３１の海側の側面に対して、アスファルト混合物の層を沿わせるように配置しているが、遮水性のシートを用いることも可能である。また、図６に説明する例では、前記上部コンクリート３１の海（堤体）側には、遮水シート３２ａを隙間なく貼り付けるような状態で配置している。そして、前記遮水シート３２ａをコンクリートの表面に貼り付けるような状態で、一体に設けることで、コンクリートにひび割れ等が発生した場合でも、前記遮水シートにより遮水性は良好に維持できるものとなる。
【００５３】
前記コンクリート壁の表面に密着させるように配置される遮水シートとしては、従来より廃棄物処分場で使用されているゴムシートやビニールシート等のように、取扱い性と施工性が良好な任意のシート類を用いることができる。また、前記遮水シートをコンクリートの壁に密着させようとする場合には、そのシートの性質に合わせて任意の接着剤等を塗布して、コンクリートの表面に貼り付けるような工法を用いると、コンクリートにクラックが発生して水が通るような欠陥が発生したときでも、遮水壁での防水性能をより良好に維持させることが可能となる。
【００５４】
なお、前記実施例では、アスファルト混合物の層３２および遮水シート３２ａは、上部コンクリート３１の海（堤体）側に設置しているが、これに対して、堆積場の側での地下水位が高くなってしまう状態が想定される埋立地では、前記縦の遮水層は、埋立地側にまたは、全部を囲むように構築しても良い。また、前記図５に説明した例において、前記アスファルト混合物による縦の壁３２、３２ａと遮水壁１５の間には、下部ブロック３３により塞がれている部分の他の部分に対しては、アスファルト混合物を任意の厚さで打設するか、遮水シート等を敷き詰めて遮水層３３ａを形成している。これは、コンクリート壁であるところの上部部材１６に、クラック等が生じた時にも、縦壁３２の下部を通って、水が裏埋立地の層１３に向けて流れることを阻止するものである。つまり、前記遮水層３３ａと接続ブロック３３との間で、一体化した遮水層を形成して設けることで、遮水壁１５の本体と、縦壁３２との間での遮水作用が良好に維持されて、護岸の信頼性を良好に維持できるようにしているのである。
【００５５】
前記上部コンクリートの表面に沿わせて配置する遮水シート３２ａは、その下部に押さえコンクリートブロック３６と遮水アスファルトのブロック３６ａを構築して、シート３２ａの下端部を固定保持させるようにする。そして、前記遮水シート３２ａと遮水壁１５との間では、遮水性のアスファルトのブロックを用いて、隙間が生じないように処理することで、遮水壁１５の上部に追加して施工した部材と、矢板等を列設して構築している壁本体とが、一体となって遮水性を維持できるようにする。
【００５６】
前述した各実施例で説明しているように、遮水壁を嵩上げすることによって、堆積場での廃棄物の収容能力を大幅に向上させることが、比較的容易に行い得るものである。ところで、前記遮水壁を嵩上げする方法は、護岸本体を同時に嵩上げする場合の他に、護岸本体の堤防を嵩上げせずに、遮水壁のみを嵩上げする場合でも、同様に効果を発揮できるのである。つまり、海岸の近辺に仕切り護岸としての堤防を構築して、廃棄物処分場を構築する場合には、その収容能力を増大させる前の段階で、護岸本体の高さは、海が荒れた場合でも、海水が堆積場に流れ込まないような高さに構築されているものである。
【００５７】
したがって、外側の護岸に関しては、それを嵩上げしなくても、堆積場を荒波から保護できるように、基本的に設計されているものであって、遮水壁は堆積場側で発生する汚水が外に流出しないように、区画する機能を持たせているものである。
前述実施例で説明したように、遮水壁を嵩上げする手段を用いて、堆積場での廃棄物の収容能力を増大させるが、前記遮水壁とともに護岸本体をも同時に嵩上げして、護岸の構造物をバランスさせて構築することが多い。前記護岸本体を嵩上げするためには、既設の護岸本体としてのケーソンの上に、さらに、小型のケーソンを載置するようにして高く形成するか、もしくは、型枠を組んでコンクリートを打設することで、護岸本体の嵩上げを行うことができる。
【００５８】
以上の各実施例に開示された遮水層の追加構築手段のうち、廃棄物処理場の環境または要求されている条件に応じて、１つの最適な手段を選択して施工することで、堆積場の収容能力を向上させることが可能となる。なお、前記各工法のうち、遮水壁を嵩上げしてから遮水層を追加施工する工法は、前記図１、２に説明した遮水工にも適用が可能なものである。例えば、前記図２のように、矢板壁の上部に設けているコンクリート壁に対して、低く追加コンクリート層の工事を施工してから、その表面に遮水層を追加することで対応が可能である。その他に、既設の矢板壁の上部コンクリート層に対して、クラックを塞ぐ等の、漏水を防ぐ対策のみを追加施工してから、その上部部材の周囲と、矢板との接続部に対して新たに遮水層を構築する等の、補修工事を後述するような手段を用いて施工することによっても、容易に対処が可能とされるものでもある。
【００５９】
前記嵩上げする護岸本体においては、もとの護岸が海水面よりも高く構築されているものであるから、その嵩上げ部分に対しては、特に遮水処理を行わなくても、堆積場側の遮水壁によって、堆積場内部で発生する汚水が外に流出することは阻止されている。
しかしながら、廃棄物処理場の環境または、要求されている条件によっては、護岸本体のみを嵩上げするが、遮水壁を嵩上げしない場合も想定される。そのような場合には、嵩上げした護岸本体に対して、その護岸自体が遮水性を強力に発揮できるように、遮水処理を行うことが求められることにもなる。
【００６０】
そこで、廃棄物処分場の仕切る護岸のうち、外側の護岸本体を嵩上げし、遮水壁をそのままにして、堆積場の収容能力を増大させる場合の例を次に説明する。図７に示す例においては、前記図３に例示している嵩上げ方法のうち、護岸本体１０における嵩上げ部１０ａのみを構築して、その嵩上げ部の要部に遮水処理を同時に施すが、遮水壁１５は実線で示す状態のままで用い、その背後に廃棄物を高く積み上げることで、対応させるようにすることが可能である。
【００６１】
図７に示す例においては、既設の護岸本体１０の上部に、新たにコンクリートを打設する等の手段を用いて、嵩上げ部１０ａを構築している。なお、前記護岸本体１０においては、ケーソン１１等を列状に並べて構成するものであって、そのケーソンの間には、例えば、特開２００４−１０８１４２号公報等に説明されているような、ケーソン間での止水手段を用いている。そして、前記仕切り護岸本体自体での遮水性を、良好に発揮できるものとして構成されていることを前提として、以下に説明する。
【００６２】
そこで、前記従来例のようにして、ケーソン間に対する遮水手段が設けられている護岸本体１０に対して、その上部に追加して施工する小型のケーソン等の隙間に対しても、遮水性を持たせるような処理を行う。例えば、そのケーソン間の隙間４０に対して、護岸本体の遮水層と合わせて構築すると良いが、任意の位置に縦の遮水層４１、４１ａを施工して、嵩上げ部１０ａにおいても、遮水層としての機能を発揮できるような処理を行う。前記遮水処理層４１、４１ａとしては、前記公報に開示されているような遮水手段を適用することの他に、従来公知の任意の遮水処理手段を適用しても良いことは勿論である。
【００６３】
前述したような追加施工した構造物の間での遮水処理の他に、前記護岸本体の嵩上げ部１０ａに対しては、その表面を覆うように遮水性の被膜を設けるか、アスファルト混合物を所定の厚さで施工して、表面遮水層４２を本体の表面に接着して取り付けることも可能である。前記遮水性の表面遮水層４２としては、任意の遮水性のシートを貼り付けるようにして設けるか、または、アスファルトマットを構造物の表面に取り付ける等の、任意の遮水手段を適用することが可能である。その他に、追加構造物の表面に突起等を設けておいて、その突起物を利用して遮水層を任意の厚さで施工することによっても、隙間が生じないような遮水層を構築できる。そして、追加して施工する嵩上げ部のコンクリートにおいて、経時変化等によってクラツクが発生したとしても、遮水性構造体としての護岸本体１０、１０ａでの遮水性を確保できることになる。
【００６４】
前記図７に示した例においては、遮水壁１５に対しては、嵩上げ部を構築しないのであるから、その遮水壁で区画された堆積部の内部においては、図示するように、新たに投棄する廃棄物７ａは、その端部が崩れないように、所定の角度を持たせた斜面となるように積み重ねられる。さらに、前述したようにして新たに投棄（堆積）される廃棄物の層は、その表面に覆土の層を所定の厚さで施工すること、または、遮水シート等で覆うことで、廃棄物に余分な水分が追加されたりしないようにする処理を行う。
【００６５】
前記新たに積み重ねられる廃棄物の表面を覆うように設けられる遮水層は、既設の遮水壁１４の遮水層と接続する手段を用いて、遮水層に隙間が形成されないようにすることによって、汚染物質を含んだ水が、処分場の外に流れ出すことを阻止できるものとなる。また、前記追加施工した護岸本体の嵩上げ部１０ａを覆うように、新たに設ける表面遮水層４２は、追加施工部全体と、既設の本体の上部の表面に亘って、一体の遮水層として形成すれば、遮水作用を良好に維持させることが可能である。その他に、新たに施工する遮水層４２は、最低限、護岸本体の内側に対して、遮水性を発揮できるものとすれば良いものである。
【００６６】
なお、前記図７に示した例において、２つの遮水壁の間では、特に表面を遮水する処理を行っていないが、その部分に対しては、汚染物質を含まないコンクリートの廃材等を平らに充填する等の処理を行うことで、余分な段差を新たに形成することはない。また、前記追加して破棄する廃棄物の山７ａを区画する遮水性の仕切りと、護岸本体の嵩上げ部の表面を覆う表面遮水層４２の端部は、前記裏埋立て土の上に積み重ねる無公害性の土により押圧されて、固定保持されるようにすれば、それぞれの遮水層を安定させて維持させることができる。
【図面の簡単な説明】
【００６７】
【図１】管理型護岸の構成の説明図である。
【図２】遮水壁を補修する例の説明図である。
【図３】管理型護岸を嵩上げする例の説明図である。
【図４】遮水壁の嵩上げ部の説明図である。
【図５】遮水壁の嵩上げ部の構成を示す平面図である。
【図６】遮水壁に増設する遮水層の別の実施例の説明図である。
【図７】護岸本体を嵩上げする例の説明図である。
【符号の説明】
【００６８】
１    管理型護岸、  ２    遮水性地層、  ３    不透水性地層、  ４    捨石基礎、  ７    充填層、  ８    覆土、  １０    護岸本体、  １１    ケーソン、
１３    裏込層、  １４    管理用パイプ、  １５    遮水壁、  １６    上部部材、  １７    被覆部材、  １８    アスファルト混合物の層、  １９    支持部材、
２０    鋼管矢板、  ２１    主接続部、  ２２    接続パイプ、
２４・２５    副接続部、  ２８    モルタル充填部、
３０    上部嵩上げ工、  ３１    上部コンクリート、
３２    アスファルト混合物の壁、  ３７    管理用パイプ、
４０    接続部、  ４１    遮水層、  ４２    表面遮水層。
【図１】
2007144272.tif 000003
【図２】
2007144272.tif 000004
【図３】
2007144272.tif 000005
【図４】
2007144272.tif 000006
【図５】
2007144272.tif 000007
【図６】
2007144272.tif 000008
【図７】
2007144272.tif 000009